(57)【要約】【課題】貼り付け対象物が金属でない場合はコンパクトな形状のままとしつつ、貼り付け対象物が金属の場合には無線タグ回路素子を確実に金属から離間させて良好な通信を行う。【解決手段】無線タグ構造体Ｔは、下部貼り付け面Ｓ１に対し貼り付けられる下面部１ａと、下面部１ａと略平行な初期状態からの面方向に対して引き起こし操作によって下面部１ａに対し略直角となるように立ち上がった、２つの立設部１ｂ，２ａと、これら２つの立設部１ｂ，２ａに接続され、情報を記憶するＩＣ回路部１５０と情報を送受信するタグアンテナ１５１とからなる無線タグ回路素子Ｔｏを有し、下面部１ａと略平行な初期状態から引き起こし操作によって下面部１ａに対し略平行を維持しつつ離間した、上面部２ｂとを有する。【選択図】図１
2010086196.tif 000002
【特許請求の範囲】
【請求項１】
下部貼り付け面に対し貼り付けられる下面部と、
前記下面部両端側にそれぞれ接続され、前記下面部と略平行な初期状態からの前記面方向に対して引き起こし操作によって前記下面部に対し略直角となるように立ち上がった、２つの立設部と、
前記２つの立設部に接続され、情報を記憶するＩＣ回路部と情報を送受信するタグアンテナとからなる無線タグ回路素子を有し、前記下面部と略平行な初期状態から前記引き起こし操作によって前記下面部に対し略平行を維持しつつ離間した、上面部と
を有することを特徴とする無線タグ構造体。
【請求項２】
前記引き起こし操作によって、上下方向で前記下面部と前記上面部との間に挟まれ、水平方向で前記２つの立設部の間に挟まれた、中空部を有する
ことを特徴とする請求項１記載の無線タグ構造体。
【請求項３】
前記中空部の上下方向寸法を維持する、前記中空部に配置された支持材を有する
ことを特徴とする請求項２記載の無線タグ構造体。
【請求項４】
前記支持材は、
前記引き起こし操作によって、立設部と同時に、前記下面部に対し略直角となるように立ち上がるとともに、前記初期状態において前記立設部と前記下面部との間に折り畳み可能な、折り畳み部である
ことを特徴とする請求項３記載の無線タグ構造体。
【請求項５】
前記支持材は、
前記無線タグ回路素子の下方位置となるように前記中空部に配置された、支柱部材である
ことを特徴とする請求項３記載の無線タグ構造体。
【請求項６】
前記下面部を前記下部貼り付け面に接着するための第１粘着剤層と、
前記２つの立設部のうち一方を側部貼り付け面に接着するための第２粘着剤層と
を有することを特徴とする請求項１乃至請求項５のいずれか１項記載の無線タグ構造体。
【請求項７】
第１基材層と、
前記第１基材層を前記貼り付け面に接着するための粘着剤層と、
前記粘着剤層を覆うように設けられ、前記貼り付け面への接着時には剥離可能な剥離材層と、
前記第１基材層に対し両端側で接続され、情報を記憶するＩＣ回路部と情報を送受信するタグアンテナとからなる無線タグ回路素子を備えた、第２基材層と
を有する無線タグラベルであって、
前記第１基材層は、
貼り付け面に対し貼り付けられる下面部と、
前記下面部の面方向一方側に位置し、面方向他方側への引き起こし操作により前記下面部に対し略直角となるように立ち上がり可能な第１立設部と
を備え、
前記第２基材層は、
前記下面部の前記面方向他方側に接続され、前記引き起こし操作により前記下面部に対し略直角となるように立ち上がり可能に設けられた第２立設部と、
前記第１立設部及び前記第２立設部に接続され、前記無線タグ回路素子が配置され、前記引き起こし操作によって前記下面部に対し略平行を維持しつつ離間可能な、上面部と
を備える    
ことを特徴とする無線タグラベル。
【請求項８】
前記第２立設部と前記下面部との間に折り畳まれ、前記引き起こし操作後に前記中空部に現出して前記中空部の上下方向寸法を維持するための、折り畳み部を有する
ことを特徴とする請求項７記載の無線タグラベル。
【請求項９】
前記粘着剤層は、
前記下面部を、下部の前記貼り付け面に接着するための第１粘着剤層と、
前記引き起こし操作後に前記第１立設部を側部の前記貼り付け面に接着するための第２粘着剤層と
を含むことを特徴とする請求項７又は請求項８記載の無線タグラベル。
【請求項１０】
前記剥離材層は、
前記第１粘着剤層を覆う第１剥離部分と、
前記第２粘着剤層を覆う第２剥離部分と、
前記第１剥離部分と前記第２剥離部分との境界位置の、厚さ方向少なくとも一部分を切断した切断線と
を備えることを特徴とする請求項９記載の無線タグラベル。
【請求項１１】
第１基材層と、
前記第１基材層を前記貼り付け面に接着するための粘着剤層と、
前記粘着剤層を覆うように設けられ、前記貼り付け面への接着時には剥離可能な剥離材層と、
前記第１基材層に対しテープ幅方向両端側で接続され、情報を記憶するＩＣ回路部と情報を送受信するタグアンテナとからなる無線タグ回路素子を備えた、第２基材層と
を有するタグテープであって、
前記第１基材層は、
貼り付け面に対し貼り付けられる下面部と、
前記下面部のテープ幅方向一方側に位置し、テープ幅方向他方側への引き起こし操作により前記下面部に対し略直角となるように立ち上がり可能な第１立設部と
を備え、
前記第２基材層は、
前記下面部の前記テープ幅方向他方側に接続され、前記引き起こし操作により前記下面部に対し略直角となるように立ち上がり可能に設けられた第２立設部と、
前記第１立設部及び前記第２立設部に接続され、前記無線タグ回路素子が配置され、前記引き起こし操作によって前記下面部に対し略平行を維持しつつ離間可能な、上面部と
を備える
ことを特徴とするタグテープ。
【請求項１２】
タグテープを巻回して構成したタグテープロールを備え、タグラベル作成装置に着脱可能に構成された無線タグカートリッジであって、
前記タグテープは、
貼り付け面に対し貼り付けられる第１基材層と、
前記第１基材層を前記貼り付け面に接着するための粘着剤層と、
前記粘着剤層を覆うように設けられ、前記貼り付け面への接着時には剥離可能な剥離材層と、
前記第１基材層に対しテープ幅方向両端側で接続され、情報を記憶するＩＣ回路部と情報を送受信するタグアンテナとからなる無線タグ回路素子を備えた、第２基材層とを有し、
前記第１基材層は、
下面部と、
前記下面部のテープ幅方向一方側に位置し、テープ幅方向他方側への引き起こし操作により前記下面部に対し略直角となるように立ち上がり可能な第１立設部と
を備え、
前記第２基材層は、
前記下面部の前記テープ幅方向他方側に接続され、前記引き起こし操作により前記下面部に対し略直角となるように立ち上がり可能に設けられた第２立設部と、
前記第１立設部及び前記第２立設部に接続され、前記無線タグ回路素子が配置され、前記引き起こし操作によって前記下面部に対し略平行を維持しつつ離間可能な、上面部と
を備える
ことを特徴とする無線タグカートリッジ。
【発明の詳細な説明】
【技術分野】
【０００１】
本発明は、外部と情報送受信可能な無線タグと通信を行う無線タグ通信装置に関する。
【背景技術】
【０００２】
外部と情報送受信可能な小型の無線タグを対象物に設け、対象物の探索や管理を行うことが広く行われている。無線タグに設けられる無線タグ回路素子は、情報を記憶するＩＣ回路部と情報を送受信するタグアンテナとを備えており、無線タグ通信装置と非接触で情報の送受信を行うことができる。
【０００３】
近年、無線タグの利用の拡大によってその用途は多種多様となっており、それらの用途に応じた多様な態様の無線タグが望まれている。例えばＯＡ機器の筐体やバインダーの背表紙等、金属面や金属近傍（金属が通信性能に影響を及ぼす範囲）に対し無線タグを取り付けたいというニーズが生じつつある。
【０００４】
ところで、一般に、無線タグ回路素子が金属に接するとその通信性能に影響があり、その影響が甚だしい場合には通信障害を招くおそれがある。そこで、このような点に配慮した従来技術として、例えば特許文献１記載のものがある。この従来技術の無線タグ（ＲＦＩＤタックラベル）では、その一部領域を引き起こし可能とするための裂開線を設けている。そして、ラベルを金属製の物品に貼り付けて使用する場合には、操作者が、ラベルを物品に貼り付けた後に、裂開線に沿ってラベルの一部領域を引き起こし、さらに引き起こした領域（引き起こし片）の根元部分（連結部）を折り曲げられる。この結果、無線タグ回路素子（インレイ）を含む引き起し領域が、物品の表面から立ち上がった状態になって金属から離れるようになっている。一方、ラベルを、非金属の物品に貼り付けて使用する場合には、貼り付け後に引き起し操作を行うことなく、平面状態のまま物品に貼り付けられることで、通常のラベルと同様のコンパクトな状態で使用可能となっている。
【特許文献１】特開２００７−１８７７６７号公報
【発明の開示】
【発明が解決しようとする課題】
【０００５】
しかしながら、上記従来技術の無線タグにおいては、平面形状のラベルの一部領域（引き起こし領域）を単にＬ字形状に引き起こしただけの不安定な構造であるため、何かの接触や衝突等により引き起こし領域が折れ曲がったり、引き起こし前の状態に戻ったりして、離間していた無線タグ回路素子が金属に接して通信障害を招く可能性があった。
【０００６】
本発明の目的は、貼り付け対象物が金属でない場合はコンパクトな形状のままとしつつ、貼り付け対象物が金属の場合には無線タグ回路素子を確実に金属から離間させて良好な通信を行える、無線タグ構造体、これを実現可能な無線タグラベル、タグテープ、及び無線タグカートリッジを提供することにある。
【課題を解決するための手段】
【０００７】
上記目的を達成するために、第１の発明は、下部貼り付け面に対し貼り付けられる下面部と、前記下面部両端側にそれぞれ接続され、前記下面部と略平行な初期状態からの前記面方向に対して引き起こし操作によって前記下面部に対し略直角となるように立ち上がった、２つの立設部と、前記２つの立設部に接続され、情報を記憶するＩＣ回路部と情報を送受信するタグアンテナとからなる無線タグ回路素子を有し、前記下面部と略平行な初期状態から前記引き起こし操作によって前記下面部に対し略平行を維持しつつ離間した、上面部とを有することを特徴とする。
【０００８】
本願第１発明の無線タグ構造体は、下面部、２つの立設部、上面部を有する。上面部には無線タグ回路素子が設けられ、下面部は下部貼り付け面に貼り付けられる。
【０００９】
このとき、２つの立設部は、もともとの下面部と略平行であった初期状態から、使用者が下面部面方向に対して引き起こし操作を行うことによって、下面部に対し略直角となるように立ち上げられて形成されたものである。また上面部も、下面部と略平行であった初期状態から上記引き起こし操作によって下面部に対し略平行な関係を維持したまま離間したものである。無線タグ回路素子は上面部に設けられていることから、上記の引き起こしによる離間によって無線タグ回路素子を貼り付け面に対し確実に離間させることができる。これにより、金属物に設ける場合（＝貼り付け面が金属である場合）であっても、金属による通信干渉等の影響を受けることなく良好な通信を行える無線タグ構造体を実現することができる。
【００１０】
逆に、貼り付け対象が金属でない場合には、上記のような引き起こしを行う前の姿、すなわち下面部と上面部とを離間させない初期状態のまま、貼り付け面に接着すればよい。これにより、厚み方向寸法が比較的小さいコンパクトな形状のまま通常の無線タグとして使用することができる。
【００１１】
さらに、貼り付け対象が金属であるかどうかわからない場合は、最初に貼り付け対象は金属でないとみなして貼り付け面に貼り付け（但し、例えば後から引き起こしも可能なような仮置き状態としておく）ておき、無線タグ通信装置から情報読み取りを試行する。そして、情報読み取りがあまりうまくいかないようだったら（貼り付け対象が金属である可能性が高いので）上記引き起こしを行って上面部と下面部とを離間させた無線タグ構造体とし、金属による通信干渉等の影響を排除して良好な通信を行うようにすればよい。
【００１２】
以上のように、本願第１発明においては、貼り付け対象物が金属である場合は無線タグ回路素子を金属から確実に離間させて良好な通信を行うことができ、貼り付け対象物が金属でない場合は離間させずにコンパクトな形状のまま通信を行うことができる。さらに、貼り付け対象物が金属かどうか不明な場合には通信を試行した後で上記離間・非離間のいずれの態様とするかを選択することができる。したがって、貼り付け対象物の物性に関係なくいずれの場合も自在に使用可能な、オールマイティーで利便性の高い無線タグを実現することができる。
【００１３】
第２発明は、上記第１発明において、前記引き起こし操作によって、上下方向で前記下面部と前記上面部との間に挟まれ、水平方向で前記２つの立設部の間に挟まれた、中空部を有することを特徴とする。
【００１４】
これにより、貼り付け対象物が金属であった場合でも、上面部と下面部との間の中空部の介在により無線タグ回路素子を金属から確実に離間させ、良好な通信を行うことができる。
【００１５】
第３発明は、上記第２発明において、前記中空部の上下方向寸法を維持する、前記中空部に配置された支持材を有することを特徴とする。
【００１６】
これにより、引き起こし後の中空部を介した上面部と下面部との離間状態を確実に維持することができる。
【００１７】
第４発明は、上記第３発明において、前記支持材は、前記引き起こし操作によって、立設部と同時に、前記下面部に対し略直角となるように立ち上がるとともに、前記初期状態において前記立設部と前記下面部との間に折り畳み可能な、折り畳み部であることを特徴とする。
【００１８】
これにより、引き起こしを行わない初期状態においては支持材を立設部と下面部との間に折り畳み、収納することができる。
【００１９】
第５発明は、上記第３発明において、前記支持材は、前記無線タグ回路素子の下方位置となるように前記中空部に配置された、支柱部材であることを特徴とする。
【００２０】
これにより、引き起こしを行った後に（初期状態においては存在しなかった）別部材としての支柱部材を中空部に配置し、無線タグ回路素子と貼り付け面との間を確実に離間させることができる。また別部材とすることで、強度の高い支持材を実現することができる。
【００２１】
第６発明は、上記第１乃至第５発明のいずれかにおいて、前記下面部を前記下部貼り付け面に接着するための第１粘着剤層と、前記２つの立設部のうち一方を側部貼り付け面に接着するための第２粘着剤層とを有することを特徴とする。
【００２２】
第１粘着剤層を備えることにより、別途接着剤等を準備しなくても、使用者は容易に下面部を下部貼り付け面に貼り付けることができる。また、この第１粘着剤層による下面部への貼り付けに加え、第２粘着剤層によって側面側も貼り付け対象に貼り付けることができるので、強固な固定構造を実現することができる。
【００２３】
上記目的を達成するために、第７発明は、第１基材層と、前記第１基材層を前記貼り付け面に接着するための粘着剤層と、前記粘着剤層を覆うように設けられ、前記貼り付け面への接着時には剥離可能な剥離材層と、前記第１基材層に対し両端側で接続され、情報を記憶するＩＣ回路部と情報を送受信するタグアンテナとからなる無線タグ回路素子を備えた、第２基材層とを有する無線タグラベルであって、前記第１基材層は、貼り付け面に対し貼り付けられる下面部と、前記下面部の面方向一方側に位置し、面方向他方側への引き起こし操作により前記下面部に対し略直角となるように立ち上がり可能な第１立設部とを備え、前記第２基材層は、前記下面部の前記面方向他方側に接続され、前記引き起こし操作により前記下面部に対し略直角となるように立ち上がり可能に設けられた第２立設部と、前記第１立設部及び前記第２立設部に接続され、前記無線タグ回路素子が配置され、前記引き起こし操作によって前記下面部に対し略平行を維持しつつ離間可能な、上面部とを備えることを特徴とする。
【００２４】
本願第７発明の無線タグラベルは、第１基材層と第２基材層の２つの基材層を有する。第２基材層には無線タグ回路素子が設けられ、第１基材層は粘着剤層を介して貼り付け面に貼り付けられる。粘着剤層は、貼り付け前の状態では、剥離材層に覆われている。
【００２５】
このとき、第２基材層は上面部と第２立設部とから構成され、第１基材層は下面部と第１立設部とから構成されている。そして、使用者が（下面部の面方向への）引き起こし操作を行うことで、第１立設部及び第２立設部が下面部に対し略直角となるように立ち上がり、これによって上面部は下面部に対し略平行な関係を維持したまま離間する。無線タグ回路素子は上面部に設けられ、下面部が貼り付け面に対し貼り付けられることから、この引き起こしによって無線タグ回路素子を貼り付け面に対し確実に離間させることができる。これにより、無線タグラベルを金属物に設ける場合（＝貼り付け面が金属である場合）であっても、金属による通信干渉等の影響を受けることなく、良好な通信を行うことができる。
【００２６】
逆に、貼り付け対象が金属でない場合には、上記のような引き起こしを行わず（すなわち第１基材層と第２基材層とを離間させることなく）、そのまま剥離材層を剥がして粘着剤層により第１基材層を貼り付け面に接着すればよい。これにより、厚み方向寸法が比較的小さいコンパクトな形状のまま通常の無線タグラベルとして使用することができる。
【００２７】
さらに、貼り付け対象が金属であるかどうかわからない場合は、最初に貼り付け対象は金属でないとみなして貼り付け面に貼り付け（但し、例えば後から引き起こしも可能なように第１立設部の粘着剤層は接着させないようにする）ておき、無線タグ通信装置から情報読み取りを試行する。そして、情報読み取りがあまりうまくいかないようだったら（貼り付け対象が金属である可能性が高いので）上記引き起こしを行って第１基材層と第２基材層とを離間させ、金属による通信干渉等の影響を排除して良好な通信を行うようにすればよい。
【００２８】
以上のように、本願第７発明の無線タグラベルにおいては、貼り付け対象物が金属である場合は無線タグ回路素子を金属から確実に離間させて良好な通信を行うことができ、貼り付け対象物が金属でない場合は離間させずにコンパクトな形状のまま通信を行うことができる。さらに、貼り付け対象物が金属かどうか不明な場合には通信を試行した後で上記離間・非離間のいずれの態様とするかを選択することができる。したがって、貼り付け対象物の物性に関係なくいずれの場合も自在に使用可能な、オールマイティーで利便性の高い無線タグラベルを実現することができる。
【００２９】
第８発明は、上記第７発明において、前記第２立設部と前記下面部との間に折り畳まれ、前記引き起こし操作後に前記中空部に現出して前記中空部の上下方向寸法を維持するための、折り畳み部を有することを特徴とする。
【００３０】
これにより、引き起こし後の中空部を介した上面部と下面部との離間状態を確実に維持することができる。また、引き起こしを行わない初期状態においては立設部と下面部との間に折り畳んで収納することができる。
【００３１】
第９発明は、上記第７又は第８発明において、前記粘着剤層は、前記下面部を、下部の前記貼り付け面に接着するための第１粘着剤層と、前記引き起こし操作後に前記第１立設部を側部の前記貼り付け面に接着するための第２粘着剤層とを含むことを特徴とする。
【００３２】
第１粘着剤層により、別途接着剤等を準備しなくても、使用者は容易に下面部を下部貼り付け面に貼り付けることができる。また、第１粘着剤層による下面部への貼り付けに加え、第２粘着剤層によって側面側も貼り付け対象に貼り付けることができるので、強固な固定構造を実現することができる。
【００３３】
第１０発明は、上記第９発明において、前記剥離材層は、前記第１粘着剤層を覆う第１剥離部分と、前記第２粘着剤層を覆う第２剥離部分と、前記第１剥離部分と前記第２剥離部分との境界位置の、厚さ方向少なくとも一部分を切断した切断線とを備えることを特徴とする。
【００３４】
第２粘着剤層は第１立設部に対応して設けられていることから、引き起こし時に第１立設部とともに下面部に対し略直角となるように立ち上がり、下面部に対応する第１粘着剤層に対して略直角方向となる。この結果、剥離材層は、第２粘着剤層を覆う第２剥離部分と第１粘着剤層を覆う第１剥離部分との境界で、引き起こし時において、略直角する位置関係に折り曲げられることになる。そこで本願第１０発明では、第１剥離部分と第２剥離部分との間を少なくとも一部切断した切断線を設けており、これによって、上記の折り曲げが円滑に行えるようにすることができる。
【００３５】
また、これにより、切断線より第１剥離部分のみを引き剥がし、第２剥離部分を剥がさないまま残すことも可能となる。これを前述の通信試行時に活用することも可能である。すなわち、貼り付け対象が金属であるかどうかわからない場合は、最初に第１剥離部分のみを引き剥がして第１粘着剤層により下面部を下部の貼り付け面に貼り付けておき（第２剥離部分は剥離せず残す。そうしないと後述の引き起こしが不可能となるため）、無線タグ通信装置から情報読み取りを試行する。そして、情報読み取りがうまく行った場合は残りの第２剥離部分も剥離して第２粘着剤層により第１立設部も下部の貼り付け面に貼り付け、通常のコンパクトな無線タグとして使用する。一方、情報読み取りがあまりうまくいかないようだったら上記引き起こしを行って第１基材層と第２基材層とを離間させるようにすればよい。この場合、引き起こし後に第２剥離部分を剥離して、側方の貼り付け面に貼り付けて強固な固定構造を実現することもできる。
【００３６】
上記目的を達成するために、第１１発明は、第１基材層と、前記第１基材層を前記貼り付け面に接着するための粘着剤層と、前記粘着剤層を覆うように設けられ、前記貼り付け面への接着時には剥離可能な剥離材層と、前記第１基材層に対しテープ幅方向両端側で接続され、情報を記憶するＩＣ回路部と情報を送受信するタグアンテナとからなる無線タグ回路素子を備えた、第２基材層とを有するタグテープであって、前記第１基材層は、貼り付け面に対し貼り付けられる下面部と、前記下面部のテープ幅方向一方側に位置し、テープ幅方向他方側への引き起こし操作により前記下面部に対し略直角となるように立ち上がり可能な第１立設部とを備え、前記第２基材層は、前記下面部の前記テープ幅方向他方側に接続され、前記引き起こし操作により前記下面部に対し略直角となるように立ち上がり可能に設けられた第２立設部と、前記第１立設部及び前記第２立設部に接続され、前記無線タグ回路素子が配置され、前記引き起こし操作によって前記下面部に対し略平行を維持しつつ離間可能な、上面部とを備えることを特徴とする。
【００３７】
本願第１１発明のタグテープは、第１基材層と第２基材層の２つの基材層を有する。第２基材層には無線タグ回路素子が設けられている。このタグテープを用いることでタグラベル作成装置において無線タグラベルを作成することができ、無線タグラベルの使用時には、第１基材層が粘着剤層を介し貼り付け面に貼り付けられる。なお、粘着剤層は、貼り付け前の状態では、剥離材層に覆われている。
【００３８】
このとき、第２基材層は上面部と第２立設部とから構成され、第１基材層は下面部と第１立設部とから構成されている。そして、使用者がテープ幅方向への引き起こし操作を行うことで、第１立設部及び第２立設部が下面部に対し略直角となるように立ち上がり、これによって上面部は下面部に対し略平行な関係を維持したまま離間する。無線タグ回路素子は上面部に設けられ、下面部が貼り付け面に対し貼り付けられることから、この引き起こしによって無線タグ回路素子を貼り付け面に対し確実に離間させることができる。これにより、無線タグラベルを金属物に設ける場合（＝貼り付け面が金属である場合）であっても、金属による通信干渉等の影響を受けることなく、良好な通信を行うことができる。
【００３９】
逆に、貼り付け対象が金属でない場合には、上記のような引き起こしを行わず（すなわち第１基材層と第２基材層とを離間させることなく）、そのまま剥離材層を剥がして粘着剤層により第１基材層を貼り付け面に接着すればよい。これにより、厚み方向寸法が比較的小さいコンパクトな形状のまま通常の無線タグラベルとして使用することができる。
【００４０】
さらに、貼り付け対象が金属であるかどうかわからない場合は、最初に貼り付け対象は金属でないとみなして貼り付け面に貼り付け（但し、例えば後から引き起こしも可能なように第１立設部の粘着剤層は接着させないようにする）ておき、無線タグ通信装置から情報読み取りを試行する。そして、情報読み取りがあまりうまくいかないようだったら（貼り付け対象が金属である可能性が高いので）上記引き起こしを行って第１基材層と第２基材層とを離間させ、金属による通信干渉等の影響を排除して良好な通信を行うようにすればよい。
【００４１】
以上のように、本願第１１発明のタグテープによれば、貼り付け対象物が金属である場合は無線タグ回路素子を金属から確実に離間させて良好な通信を行え、貼り付け対象物が金属でない場合は離間させずにコンパクトな形状のまま通信を行える無線タグラベルを実現することができる。さらに、貼り付け対象物が金属かどうか不明な場合には通信を試行した後で上記離間・非離間のいずれの態様とするかを選択することができる。したがって、貼り付け対象物の物性に関係なくいずれの場合も自在に使用可能な、オールマイティーで利便性の高い無線タグラベルを実現することができる。
【００４２】
上記目的を達成するために、第１２発明は、タグテープを巻回して構成したタグテープロールを備え、タグラベル作成装置に着脱可能に構成された無線タグカートリッジであって、前記タグテープは、貼り付け面に対し貼り付けられる第１基材層と、前記第１基材層を前記貼り付け面に接着するための粘着剤層と、前記粘着剤層を覆うように設けられ、前記貼り付け面への接着時には剥離可能な剥離材層と、前記第１基材層に対しテープ幅方向両端側で接続され、情報を記憶するＩＣ回路部と情報を送受信するタグアンテナとからなる無線タグ回路素子を備えた、第２基材層とを有し、前記第１基材層は、下面部と、前記下面部のテープ幅方向一方側に位置し、テープ幅方向他方側への引き起こし操作により前記下面部に対し略直角となるように立ち上がり可能な第１立設部とを備え、前記第２基材層は、前記下面部の前記テープ幅方向他方側に接続され、前記引き起こし操作により前記下面部に対し略直角となるように立ち上がり可能に設けられた第２立設部と、前記第１立設部及び前記第２立設部に接続され、前記無線タグ回路素子が配置され、前記引き起こし操作によって前記下面部に対し略平行を維持しつつ離間可能な、上面部とを備えることを特徴とする。
【００４３】
本願第１２発明の無線タグカートリッジに設けられたタグテープロールに巻回されたタグテープは、第１基材層と第２基材層の２つの基材層を有する。第２基材層には無線タグ回路素子が設けられている。この無線タグカートリッジをタグラベル作成装置に装着し、タグテープロールから繰り出したタグテープを用いて、タグラベル作成装置で無線タグラベルを作成することができる。作成された無線タグラベルの使用時には、第１基材層が粘着剤層を介し貼り付け面に貼り付けられる。なお、粘着剤層は、貼り付け前の状態では、剥離材層に覆われている。
【００４４】
このとき、第２基材層は上面部と第２立設部とから構成され、第１基材層は下面部と第１立設部とから構成されている。そして、使用者がテープ幅方向への引き起こし操作を行うことで、第１立設部及び第２立設部が下面部に対し略直角となるように立ち上がり、これによって上面部は下面部に対し略平行な関係を維持したまま離間する。無線タグ回路素子は上面部に設けられ、下面部が貼り付け面に対し貼り付けられることから、この引き起こしによって無線タグ回路素子を貼り付け面に対し確実に離間させることができる。これにより、無線タグラベルを金属物に設ける場合（＝貼り付け面が金属である場合）であっても、金属による通信干渉等の影響を受けることなく、良好な通信を行うことができる。
【００４５】
逆に、貼り付け対象が金属でない場合には、上記のような引き起こしを行わず（すなわち第１基材層と第２基材層とを離間させることなく）、そのまま剥離材層を剥がして粘着剤層により第１基材層を貼り付け面に接着すればよい。これにより、厚み方向寸法が比較的小さいコンパクトな形状のまま通常の無線タグラベルとして使用することができる。
【００４６】
さらに、貼り付け対象が金属であるかどうかわからない場合は、最初に貼り付け対象は金属でないとみなして貼り付け面に貼り付け（但し、例えば後から引き起こしも可能なように第１立設部の粘着剤層は接着させないようにする）ておき、無線タグ通信装置から情報読み取りを試行する。そして、情報読み取りがあまりうまくいかないようだったら（貼り付け対象が金属である可能性が高いので）上記引き起こしを行って第１基材層と第２基材層とを離間させ、金属による通信干渉等の影響を排除して良好な通信を行うようにすればよい。
【００４７】
以上のように、本願第１２発明の無線タグカートリッジによれば、貼り付け対象物が金属である場合は無線タグ回路素子を金属から確実に離間させて良好な通信を行え、貼り付け対象物が金属でない場合は離間させずにコンパクトな形状のまま通信を行える無線タグラベルを実現することができる。さらに、貼り付け対象物が金属かどうか不明な場合には通信を試行した後で上記離間・非離間のいずれの態様とするかを選択することができる。したがって、貼り付け対象物の物性に関係なくいずれの場合も自在に使用可能な、オールマイティーで利便性の高い無線タグラベルを実現することができる。
【発明の効果】
【００４８】
本発明によれば、貼り付け対象物が金属でない場合はコンパクトな形状のままとしつつ、貼り付け対象物が金属の場合には無線タグ回路素子を確実に金属から離間させ、良好な通信を行うことができる。
【発明を実施するための最良の形態】
【００４９】
以下、本発明の一実施の形態を図面を参照しつつ説明する。
【００５０】
図１は、本実施形態の無線タグの全体構造を表す斜視図である。
【００５１】
図１において、無線タグＴ（無線タグ構造体）は、下面部１ａと、２つの立設部１ｂ，２ａと、上面部２ｂと、粘着剤層３ａ（第１粘着剤層）と、粘着剤層３ｂ（第２粘着剤層）と、剥離部分４ｂ（詳細は後述）とを有している。
【００５２】
下面部１ａは、貼り付け対象物Ｍの表面（以下適宜、「下部貼り付け面Ｓ１」という）に対し、上記粘着剤層３ａを介し貼り付けられている。なお、この例では下部貼り付け面Ｓ１を貼り付ける対象の一例として薄い貼り付け対象物Ｍを示しているが、これに限らず、例えば鋳塊物などの表面に貼り付けてもよい（以下、各変形例についても同様）。
【００５３】
立設部１ｂ，２ａは、下面部１ａの図示左右方向両端側にそれぞれ接続され、下面部１ａと略平行な初期状態からの引き起こし操作（詳細は後述）によって下面部１ａに対し略直角となるように立ち上げられたものである。
【００５４】
上面部２ｂは、上記２つの立設部１ｂ，２ａの上端部に接続され、下面部１ａと略平行な初期状態から上記引き起こし操作によって下面部１ａに対し略平行を維持しつつ離間したものである。この離間により中空部Ｃｙが形成される。中空部Ｃｙは、上下方向で下面部１ａと上面部２ｂとの間に挟まれるとともに、水平方向で２つの立設部１ｂ，２ａの間に挟まれている。そして、この中空部Ｃｙには、支柱Ｓｉ（支持部材、支持材）が設けられている。
【００５５】
このとき、上面部２ｂの表面（図中上側）には、無線タグ回路素子Ｔｏ（詳細は後述）を備えたインレットＴｇが、例えば適宜の粘着剤により接着されている。上記支柱Ｓｉは、中空部Ｃｙの上下方向寸法を維持するために、この例ではインレットＴｇの下方の位置となるよう中空部Ｃｙに配置されたものであり、金属を除く適宜の素材（直立を保てる程度の強度を持ったもの）で形成されている（なお、インレットＴｇの下方ではなく、例えば上面部２ｂの長手方向中央部に配置する等でもよい）。これにより、インレットＴｇ（詳細には、インレットＴｇに備えられる、後述の無線タグ回路素子Ｔｏのタグアンテナ１５１。以下同様）と、下部貼り付け面Ｓ１との間の離間距離が、５ｍｍ以上９０ｍｍ以下に維持されるようになっている。
【００５６】
さらに、上面部２ｂには、無線タグＴの長手方向（図中、左上方向から右下方向）に沿って、無線タグ回路素子Ｔｏに記憶された情報に対応する印字Ｒ（この例では「１２３４５６７８９」の数字）が印字されている。
【００５７】
粘着剤層３ｂは、剥離部分４ｂを剥がすことにより立設部１ｂを側方の部材に接着可能である（本実施形態はそのような用い方をしない例である。後述の（１）の変形例を参照）。
【００５８】
以上のような構成の無線タグＴは、例えば後述のタグラベル作成装置によって作成された無線タグラベルＬ（後述の図２参照）を、使用者が折り曲げ線６，７（この例では印字している）で折り曲げ、上記引き起こし操作を行うことで、図１に示す構造としたものである。図２（ａ）は、この引き起こし操作前の上記無線タグラベルＬの外観を表す斜視図である。なお、対比のために、引き起こし操作後の状態を図２（ｂ）に示している。
【００５９】
これら図２（ａ）及び図２（ｂ）において、無線タグラベルＬは、複数層（この例では４層）の積層構造を備えている。概略的には、表側（図２（ａ）中上側）よりその反対側（図２（ａ）中下側）に向かって、上記上面部２ｂ及び上記立設部２ａからなる基材層２（第２基材層）と、上記下面部１ａ及び上記立設部１ｂからなる基材層１（第１基材層）と、上記粘着剤層３ａ及び上記粘着剤層３ｂからなる粘着剤層３と、上記剥離部分４ｂを含む剥離材層４と、の順序で積層されている。
【００６０】
基材層１は、例えばＰＥＴ（ポリエチレンテレフタラート）等により構成されている。上記立設部１ｂ（第１立設部）は、上記下面部１ａの面方向一方側(この例では、図示右側。後述のタグテープのテープ幅方向一方側)に位置している。また上記立設部１ｂは、面方向他方側(この例では、図示左側。後述のタグテープのテープ幅方向他方側)への上記引き起こし操作により、下面部１ａに対し略直角となるように立ち上がる（図２（ｂ）参照）ようになっている。
【００６１】
基材層２は、上記基材層１と同様、例えばＰＥＴ（ポリエチレンテレフタラート）等から構成されている。この基材層２は、上記基材層１に対し面方向両端側（図２（ａ）中左右方向両端側。後述のタグテープのテープ幅方向両端側）で接続されている。また上記立設部２ａ（第２立設部）は、上記下面部１ａの面方向他方側（図２（ｂ）中左側。後述のタグテープのテープ幅方向他方側）端部に接続されており、上記引き起こし操作により下面部１ａに対し略直角となるように立ち上がる（図２（ｂ）参照）ようになっている。
【００６２】
粘着剤層３は、適宜の粘着剤から構成されている。この粘着剤層３は、下面部１ａを前述の下部貼り付け面Ｓ１に接着するための上記粘着剤層３ａと、上記引き起こし時に側方に位置する粘着剤層３ｂとから構成されている。
【００６３】
剥離材層４は、上記粘着剤層３を覆うように設けられ、接着時には粘着剤層３から剥離可能に構成されている。この剥離材層４は、上記粘着剤層３ａを覆う上記剥離部分４ａ（第１剥離部分）と、上記粘着剤層３ｂを覆う剥離部分４ｂ（第２剥離部分）と、これら剥離部分４ａ，４ｂの境界位置の厚さ方向の少なくとも一部分を切断（この例では厚さ方向全部を分断）したハーフカット線Ｈｃ（切断線）とを備えている。これにより、剥離材層４のハーフカット線Ｈｃを境に、上記剥離部分４ａのみを引き剥がしつつ剥離部分４ｂを剥がさないまま残し、貼り付け対象物Ｍ等の貼り付け面に接着できるようになっている。
【００６４】
そして、使用者が、図２（ａ）で示した無線タグラベルＬを、折り曲げ線６，７で折り曲げ（折り曲げ線６は山折り、折り曲げ線７は谷折り）て、上記引き起こし操作を行うことにより、立設部１ｂ，２ａが下面部１ａに対し略直角になるように立ち上がり、上面部２ｂが下面部１ａに対し略平行な関係を維持したまま離間し（上記中空部Ｃｙを形成し）、図２（ｂ）に示した立体構造が得られる。この無線タグラベルＬの引き起こし操作を、図３（ａ）〜（ｃ）を用いて以下詳細に説明する。
【００６５】
図３（ａ）〜（ｃ）は、引き起こし操作前の状態の無線タグラベルＬの外観を表すラベル短手方向（＝幅方向）側図面であり、図３（ｂ）は引き起こし操作途中のラベル短手方向側図面であり、図３（ｃ）は引き起こし操作完了後の状態のラベル短手方向側図面であり、図３（ｄ）は引き起こし操作完了後に貼り付けた状態のラベル短手方向側図面である。
【００６６】
図３（ａ）において、無線タグラベルＬは、基材層２（上面部２ｂ及び立設部２ａ）、基材層１（下面部１ａ及び立設部１ｂ）、粘着剤層３（粘着剤層３ａ及び粘着剤層３ｂ）、及び剥離材層４（剥離部分４ａ及び剥離部分４ｂ）が、略平行な状態（以下適宜、「初期状態」と称する）となっている。前述の図２（ａ）は、この初期状態を表している。
【００６７】
そして、使用者が、上記初期状態の無線タグラベルＬを面方向（この例では図示左側）への引き起こし操作を行うことによって、図３（ｂ）に示すように、基材層１の下面部１ａに略平行な状態であった立設部１ｂ，２ａが徐々に略直角となるように立ち上がる。このとき、立設部１ｂに対応して設けられている粘着剤層３ｂにおいても、下面部１ａに略平行な状態から立設部１ｂとともに下面部１ａに対して略直角となるように徐々に立ち上がる。これに伴い、剥離材層４は、上記粘着剤層３ｂを覆う剥離部分４ｂと粘着剤層３ａを覆う剥離部分４ａとの境界のハーフカット線Ｈｃの位置で折れ曲がる。
【００６８】
その後、図３（ｃ）に示すように、立設部１ｂ，２ａは下面部１ａに対し略直角となり、粘着剤層３ｂは（下面部１ａに対応して設けられている）粘着剤層３ａに対し略直角となる。前述の図２（ｂ）はこの状態を表している。このとき、上記立設部１ｂ，２ａに接続されている上面部２ｂは、下面部１ａに対し略平行であった初期状態から、引き起こし操作により立設部１ｂ，２ａが立ち上がることによって、下面部１ａに対し略平行な関係を維持したまま離間する。これにより、前述したように、下面部１ａと上面部２ｂとの間に中空部Ｃｙが形成される。
【００６９】
そして、使用者が、上記引き起こし操作が完了して図３（ｃ）に示す立体構造となった無線タグラベルＬの粘着剤層３ａを覆う剥離材層４ａを剥がして、図３（ｄ）に示すように、粘着剤層３ａにより下面部１ａを上記貼り付け面に対し貼り付ける。このとき、上記中空部Ｃｙに支柱Ｓｉを挿入して配置することで、中空部Ｃｙをさらに確実に安定的に保ち、インレットＴｇを貼り付け対象物Ｍから確実に離間させることができる。前述の図１はこの状態を表している。
【００７０】
図４は、上記インレットＴｇの側面構造を表す模式図である。
【００７１】
図４において、インレットＴｇは、例えばＰＥＴ（ポリエチレンテレフタラート）等から構成された略シート状のアンテナ基材（アンテナパターンシート）１６０と、このアンテナ基材１６０の表側（図中上側）に設けられ、情報の送受信を行うタグアンテナ１５１と、ＩＣチップ保持部材１６１とを備えている。ＩＣチップ保持部材１６１は、上記タグアンテナ１５１に接続するように設けられ、情報を更新可能に（書き換え可能に）記憶するＩＣ回路部１５０（図示せず。後述の図５参照）を備えている。なお、上記タグアンテナ１５１及び上記ＩＣ回路部１５０によって無線タグ回路素子Ｔｏが構成されている。
【００７２】
図５は、上記無線タグ回路素子Ｔｏの機能的構成を表す機能ブロック図である。なお、図中に示す矢印は信号の流れの一例を示すものであり、信号の流れ方向を限定するものではない。
【００７３】
図５において、無線タグ回路素子Ｔｏは、非接触で信号の送受信を行う上記タグアンテナ１５１と、このタグアンテナ１５１に接続された上記ＩＣ回路部１５０とを有している。
【００７４】
ＩＣ回路部１５０は、上記タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介して上記無線タグ回路素子Ｔｏの作動を制御するための上記制御部１５７とを備えている。
【００７５】
変復調部１５６は、上記タグアンテナ１５１により受信された無線タグ情報通信装置側のアンテナからの質問波の復調を行い、また、上記制御部１５７からの返信信号を変調し、タグアンテナ１５１より応答波（タグＩＤを含む信号）として送信する。
【００７６】
クロック抽出部１５４は受信した信号からクロック成分を抽出し当該クロック成分の周波数に対応したクロックを制御部１５７に供給する。
【００７７】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００７８】
上記無線タグラベルＬは、上記無線タグ回路素子Ｔｏを備えたタグテープを用いて、タグラベル作成装置により作成することができる。図６は、そのようなタグラベル作成装置の構成の一例を表す概念的説明図である。
【００７９】
図６において、タグラベル作成装置１００は、カートリッジ１２０（無線タグカートリッジ）が着脱可能なカートリッジホルダ部１３０と、印字ヘッド１０５と、搬送ローラ１１５と、装置アンテナ１０６と、高周波回路１０１と、カッタ１０７と、このカッタ１０７を駆動して切断動作を行わせるソレノイド１０８と、そのソレノイド１０８を制御するソレノイド駆動回路１０９と、操作部１１４と、上記搬送ローラ１１５を駆動するモータ１１６と、このモータ１１６を制御するモータ駆動回路１１７と、上記高周波回路１０１、ソレノイド駆動回路１０９等を介し、タグラベル作成装置１００全体の動作を制御するための制御回路１０２とを有する。
【００８０】
上記カートリッジ１２０には、タグテープロール１０４（本来は渦巻き状であるが簡略化して同心円で図示している）が備えられている。タグテープロール１０４は、タグテープ１０３をテープ長手方向と略直交する軸のまわりに巻回して構成されている。タグテープ１０３には、所定間隔で上記インレットＴｇ（前述したように上記無線タグ回路素子Ｔｏを含む）が備えられている。
【００８１】
搬送ローラ１１５は、印字ヘッド１０５に対向して設けられ、制御回路１０２により制御されてタグテープロール１０４を搬送する。
【００８２】
印字ヘッド１０５は、タグテープ１０３の表面（詳細には後述の基材層１の表面）に上記印字Ｒの印刷（図２等参照）を行う（併せて折り曲げ線６を印刷するようにしてもよい）。
【００８３】
操作部１１４は、印字Ｒの内容や無線タグ回路素子Ｔｏへの書き込み情報などを、使用者が選択入力可能に構成されている。
【００８４】
装置アンテナ１０６は、タグテープ１０３のインレットＴｇに備えられた無線タグ回路素子Ｔｏに対し、無線通信により情報の送受信を行う。高周波回路１０１は、無線タグ回路素子ＴｏのＩＣ回路部１５０へのアクセス情報を生成し、上記装置アンテナ１０６を介して無線タグ回路素子Ｔｏへ送信し、無線タグ回路素子ＴｏのＩＣ回路部１５０への読み取り（又は情報書き込み）を行う。
【００８５】
カッタ１０７は、上記無線タグ回路素子Ｔｏへの上記情報書き込みが終了したタグテープ１０３を所定の長さに切断して無線タグラベルＬとする。
【００８６】
制御回路１０２は有線又は無線の通信回線（ネットワーク）を介して他のコンピュータ、サーバ、端末等と接続されており、それらと情報の送受が可能となっている。
【００８７】
図７は、上記タグテープ１０３の断面構造を表す、図６中Ａ−Ａ′断面による横断面図である。この図７に示すように、タグテープ１０３は、上記図２（ａ）や図３（ａ）に示したラベル積層構造に対応し、上記基材層２、上記基材層１、上記粘着剤層３、及び上記剥離材層４をこの順序で積層した４層構造となっている。剥離材層４は、予め形成された上記ハーフカット線Ｈｃによって上記剥離部分４ａと上記剥離部分とに区分されている。これにより、上記積層構造のタグテープ１０３を上記カッタ１０７で適宜の長手方向長さに切断することで（さらに併せて上記無線タグ回路素子Ｔｏへの情報読み取り又は情報書き込みを行うことで）、上記図２（ａ）や図３（ａ）に示した無線タグラベルＬを得ることができる。
【００８８】
図８は、無線タグラベルＬの作成時に上記タグラベル作成装置１００の制御回路１０２によって実行される制御手順を表すフローチャートである。
【００８９】
図８において、まず最初に、ステップＳ１１０で、操作者（使用者）の操作部１１４での操作入力に基づき、上記無線タグラベルＬに印字したい印字Ｒや無線タグ回路素子Ｔｏへの書き込み情報等を含む操作信号が操作部１１４より入力される。
【００９０】
その後、ステップＳ１２０に移り、モータ駆動回路１１７に制御信号を出力してモータ１１６を介し搬送ローラ１１５を駆動してタグテープ１０３の搬送を行いつつ、印字ヘッド１０５に制御信号を出力して上記ステップＳ１１０で入力した印字Ｒ（及び折り曲げ線６）の印字を行う。また、高周波回路１０１に制御信号を出力し装置アンテナ１０６を介し無線タグ回路素子Ｔｏに対して上記ステップＳ１１０で入力した情報の書込み（例えば識別情報であるタグＩＤと記憶させたい物品情報等の書込み）を行う。
【００９１】
その後、ステップＳ１３０では、ソレノイド駆動回路１０９に制御信号を出力してソレノイド１０８を介しカッタ１０７を駆動してタグテープ１０３の切断を行い、これによって１つのインレットＴｇ（無線タグ回路素子Ｔｏ）を備えた無線タグラベルＬを作成し、このフローを終了する。
【００９２】
なお、この例では、予め、剥離材層４の剥離部分４ａ，４ｂの境界位置にハーフカット線Ｈｃを備えたタグテープ１０３を用いて、無線タグラベルＬの作成を行った。しかしながら、これに限らず、タグラベル作成装置１００にハーフカッタを設けてタグテープ１０３の対応する位置に切断を行い、上記ハーフカット線Ｈｃを形成してもよい。
【００９３】
なお、上記フローチャートは本発明を上記フローに示す手順に限定するものではなく、発明の趣旨及び技術的思想を逸脱しない範囲内で手順の追加・削除又は順番の変更等をしてもよい。
【００９４】
以上説明したように、本実施形態の無線タグＴは、使用者の引き起こし操作によって、上面部２ｂが下面部１ａに対し略平行を維持しつつ離間するので、インレットＴｇを下部貼り付け面Ｓ１から離間させることができる（図１及び図３（ｄ）参照）。これにより、貼り付け対象物Ｍが金属である場合でも、インレットＴｇを金属から確実に離間させることができる。この結果、金属による通信干渉等の影響を受けることなく、良好な通信を行うことができる。
【００９５】
また、貼り付け対象物Ｍが金属でない場合は、上記のような引き起こしを行うことなく、すなわち下面部１ａと上面部２ｂとを離間させない状態（図２（ａ）及び図３（ａ）参照）で、そのまま剥離材層４ａを剥がして粘着剤層３ａにより下面部１ａを下部貼り付け面Ｓ１に接着すればよい。この結果、厚み方向寸法が比較的小さいコンパクトな形状のまま通常の無線タグとして使用することができる。
【００９６】
さらに、貼り付け対象物Ｍが金属かどうか不明な場合は、最初に貼り付け対象物は金属でないとみなして下面部１ａと上面部２ｂとを離間させない上記の状態で下部貼り付け面Ｓ１に貼り付けておき（但し、例えば後から引き起こし可能なように、粘着剤層３ｂは接着させない仮置き状態としておく）、例えば無線タグ通信装置から無線タグ回路素子Ｔｏに対し情報読み取りを試行する。そして、情報読み取りがあまりうまくいかないようだったら（貼り付け対象物Ｍが金属である可能性が高いので）、上記の引き起こしを行って下面部１ａと上面部２ｂとを離間させた状態（図１及び図３（ｄ）参照）で通信を行う（この時点で、引き起こし後に剥離部分４ｂを剥離して、側方側の部材に貼り付けて強固な固定構造を実現することもできる。後述の（１）の変形例参照）。このように、通信を試行した後で上記離間・非離間のいずれの態様とするかを選択することができるので、貼り付け対象物Ｍの物性に関係なくいずれの場合も自在に使用可能な、オールマイティーで利便性の高い無線タグＴを実現することができる。
【００９７】
また、本実施形態では特に、剥離材層４において剥離部分４ａ，４ｂの境界位置にハーフカット線Ｈｃを設けている（図２（ａ）等参照）。これにより、上記引き起こし操作の際に、折り曲げが円滑に行えるようにすることができる。このとき、上記ハーフカット線Ｈｃより剥離部分４ａのみを剥がし、剥離部分４ｂを剥がさないまま残すことも可能となり、これを上記のような通信試行時に活用することができる。すなわち、貼り付け対象物Ｍが金属かどうか不明な場合に、剥離部分４ａのみを剥がし（剥離部分４ｂは剥がさないまま）下面部１ａと上面部２ｂとを離間させない状態で粘着剤層３ａにより下部貼り付け面Ｓ１に貼り付け、無線タグ回路素子Ｔｏに対し情報読み取りを試行する。そして、情報読み取りがあまりうまくいかない場合は、上記の引き起こし後に剥離部分４ｂを剥離し粘着剤層３ｂにより側方側の部材に貼り付けて強固な固定構造を実現することができる（後述の（１）の変形例参照）。
【００９８】
また、本実施形態では特に、上下方向で下面部１ａと上面部２ｂとの間に挟まれ、水平方向で２つの立設部１ｂ，２ａの間に挟まれた中空部Ｃｙを有する（図１等参照）。これにより、貼り付け対象物Ｍが金属であった場合でも、上面部２ｂと下面部１ａとの間の中空部Ｃｙの介在によりインレットＴｇを金属から確実に離間させ、良好な通信を行うことができる。また、上記中空部Ｃｙの上下方向寸法を維持するために、引き起こし操作後にインレットＴｇの下方となるように中空部Ｃｙの適宜の位置に（無線タグラベルＬの初期状態においては存在しなかった）支柱Ｓｉを配置する。これにより、上面部２ｂと下面部１ａとの離間状態を確実に維持することができる。さらに、支柱Ｓｉを別部材とすることで、強度の高い支柱Ｓｉを実現することができる。
【００９９】
このとき、本実施形態では特に、上記中空部Ｃｙによる、下部貼り付け面Ｓ１とインレットＴｇとの間の離間距離を５ｍｍ以上９０ｍｍ以下としている。これは公知の無線タグＴの通信特性に従い、設定したものである。以下、このことについて詳細に説明する。
【０１００】
すなわち、例えば、特開２００７−２３０７１７号公報に記載の実験結果によれば、無線タグのアンテナと金属の表面（貼り付け面）との距離を少なくとも５．０ｍｍ以上にすれば、金属による通信干渉等を防止し、良好な無線通信を行うことができるとされている。本実施形態ではこの実験結果に基づき、インレットＴｇの下部貼り付け面Ｓ１からの離間距離の下限を５ｍｍと設定している。これにより、金属による通信干渉等の防止効果を確実に得ることができる。
【０１０１】
一方、例えば特開２００７−２１３３２９号公報に記載の実験結果によれば、通信周波数が９１５ＭＨｚの条件では、無線タグのアンテナと金属板の貼り付け面との離間距離が９０ｍｍ以下の場合、１００％距離の通信性能が確保されるとされている（無線タグにおいて通常使用される２．４５ＧＨｚの通信周波数においても上記の場合と同等の結果を得る）。本実施形態ではこの実験結果に基づき、インレットＴｇの下部貼り付け面Ｓ１からの離間距離の上限を９０ｍｍと設定している。これにより、無線タグＴにおいて通常使用される９１５ＭＨｚや２．４５ＧＨｚの周波数においても上記通信干渉等の防止効果を確実に得ることができるとともに、全体として過剰な大型化を招くのを防止することができる。
【０１０２】
また、本実施形態では特に、下面部１ａを下部貼り付け面Ｓ１に接着するための粘着剤層３ａを有する。これにより、別途接着剤等を準備しなくても、使用者は容易に下面部１ａを下部貼り付け面Ｓ１に貼り付けることができる。
【０１０３】
なお、本発明は、上記実施形態に限られるものではなく、その趣旨及び技術的思想を逸脱しない範囲内で種々の変形が可能である。以下、そのような変形例を順を追って説明する。
【０１０４】
（１）無線タグＴの側面側も貼り付ける場合
上記実施形態では、無線タグＴの下面部１ａを粘着剤層３ａを介して下部貼り付け面Ｓ１に貼り付けることにより（さらに、中空部Ｃｙに支柱Ｓｉを配置することにより）無線タグＴの固定を行ったが、これに限られない。すなわち、上記に加え、２つの立設部１ｂ，２ａのうち一方を上記粘着剤層３ｂを介して側方側の適宜の部材に貼り付けることにより無線タグＴの固定を行ってもよい。
【０１０５】
図９は、本変形例における無線タグＴの全体構造を表す斜視図であり、上記実施形態の図１に対応する図である。図１と同等の部分には同一の符号を付し、適宜説明を省略又は簡略化する。
【０１０６】
図９において、本変形例の無線タグＴは、下面部１ａに対応する粘着剤層３ａを介して下部貼り付け面Ｓ１に接着し、さらに立設部１ｂに対応する粘着剤層３ｂを介して側部貼り付け面Ｓ２に接着され固定されている。すなわち、上記立設部１ｂに対応する粘着剤層３ｂを介して側部貼り付け面Ｓ２に接着することで、上記実施形態のような支柱Ｓｉを別途配置しなくても、無線タグＴの中空部Ｃｙの上下方向寸法を維持できる。上記粘着剤層３ｂを介して側部貼り付け面Ｓ２に貼り付けている点、中空部Ｃｙに支柱Ｓｉを配置していない点以外の構成は上記実施形態の無線タグＴと同様であるので、説明を省略する。
【０１０７】
本変形例によれば、粘着剤層３ａによる下面部１ａの貼り付けに加え、粘着剤層３ｂによって立設部１ｂも側部貼り付け面Ｓ２に貼り付けることができるので、強固な固定構造を実現することができる。
【０１０８】
（２）折り畳み構造で中空部を支持する場合
上記実施形態では、上面部２ｂと下面部１ａとの間の中空部Ｃｙに、別部材である支柱Ｓｉを配置することによって、中空部Ｃｙの上下方向寸法を維持していたが、これに限られない。すなわち、無線タグＴ内（無線タグラベルＬ内）に予め組み込まれた折り畳み構造によって中空部Ｃｙの上下方向寸法を維持してもよい。
【０１０９】
図１０は、本変形例における無線タグＴの折り畳み構造を説明する説明図であり、図１０（ａ）は前述の図３（ａ）、図１０（ｂ）は前述の図３（ｄ）にそれぞれ対応する図である。図３（ａ）及び図３（ｄ）と同等の部分には同一の符号を付し、適宜説明を省略又は簡略化する。
【０１１０】
図１０（ａ）において、本変形例の無線タグＴ（無線タグラベルＬ）は、基材層２（詳細には立設部２ａ。図１０（ｂ）参照）と基材層１（詳細には下面部１ａ。図１０（ｂ）参照）との間に折り畳み部Ｏｔ（支持材）を有している。この折り畳み部Ｏｔは、図示のように初期状態において立設部２ａと下面部１ａとの間に折り畳まれて収納されている。
【０１１１】
そして、使用者が前述の引き起こし操作を行うことにより、図１０（ｂ）に示す無線タグＴの立体構造において、折り畳み部Ｏｔは中空部Ｃｙに図示左隅の位置に現出して拡がり（図示のようにこの例では略三角形状に拡がる）、中空部Ｃｙの上下方向寸法を維持する機能を果たす。なお、図１０（ｂ）では、上記操作後にさらに、剥離部分４ａを引き剥がし粘着剤層３ａにより下面部１ａが下部貼り付け面Ｓ１に接着された状態を示している。
【０１１２】
上記以外の構成は上記実施形態の無線タグＴ（無線タグラベルＬ）と同様であるので説明を省略する。
【０１１３】
本変形例によっても、上記実施形態と同様の効果を得る。すなわち、引き起こし後の中空部Ｃｙを介した上面部２ｂと下面部１ａとの離間状態を確実に維持することができる。また、上記折り畳み部Ｏｙは、上記初期状態及び金属以外の貼り付け対象物に貼り付けて使用する場合等、引き起こしを行わない場合においては立設部２ａと下面部１ａとの間に折り畳んで収納することができる。
【０１１４】
（３）その他
以上においては、引き起こしたときに２つの立設部１ｂ，２ａを設け、横断面形状が略長方形（略正方形を含む）となるように立ち上がる構造を例にとって説明したが、これに限られない。すなわち、３つ以上の立設部を設ける構造としてもよいし、さらに立ち上がったときの横断面形状についても台形や三角形等としてもよい。
【０１１５】
また、以上既に述べた以外にも、上記実施形態や各変形例による手法を適宜組み合わせて利用しても良い。
【０１１６】
その他、一々例示はしないが、本発明は、その趣旨を逸脱しない範囲内において、種々の変更が加えられて実施されるものである。
【図面の簡単な説明】
【０１１７】
【図１】本発明の一実施形態による無線タグの全体構造を表す斜視図である。
【図２】無線タグラベルの外観を表す斜視図である。
【図３】無線タグラベルの引き起こし操作を説明する概念的説明図である。
【図４】インレットの側面構造を表す模式図である。
【図５】無線タグの機能的構成を表す機能ブロック図である。
【図６】無線タグラベルを作成するタグラベル作成装置の構成の一例を表す概念的説明図である。
【図７】タグテープの断面構造を表す横断面図である。
【図８】無線タグラベルの作成時にタグラベル作成装置の制御回路によって実行される制御手順を表すフローチャートである。
【図９】無線タグの側面側も貼り付ける変形例において無線タグの全体構造を表す斜視図である。
【図１０】折り畳み構造で中空部を支持する変形例において無線タグの折り畳み構造を説明する説明図である。
【符号の説明】
【０１１８】
１            基材層（第１基材層）
１ａ          下面部
１ｂ          立設部（第１立設部）
２            基材層（第２基材層）
２ａ          立設部（第２立設部）
２ｂ          上面部
３            粘着材層
３ａ          粘着剤層（第１粘着剤層）
３ｂ          粘着剤層（第２粘着剤層）
４            剥離材層
４ａ          剥離部分（第１剥離部分）
４ｂ          剥離部分（第２剥離部分）
１０３        タグテープ
１０４        タグテープロール
１２０        カートリッジ（無線タグカートリッジ）
１５０        ＩＣ回路部
１５１        タグアンテナ
Ｃｙ          中空部
Ｈｃ          ハーフカット線（切断線）
Ｌ            無線タグラベル
Ｍ            金属板
Ｏｔ          折り畳み部（支持材）
Ｓ１          下部貼り付け面
Ｓ２          側部貼り付け面
Ｓｉ          支柱（支持部材、支持材）
Ｔ            無線タグ（無線タグ構造体）
Ｔｇ          インレット
Ｔｏ          無線タグ回路素子
【図１】
2010086196.tif 000003
【図２】
2010086196.tif 000004
【図３】
2010086196.tif 000005
【図４】
2010086196.tif 000006
【図５】
2010086196.tif 000007
【図６】
2010086196.tif 000008
【図７】
2010086196.tif 000009
【図８】
2010086196.tif 000010
【図９】
2010086196.tif 000011
【図１０】
2010086196.tif 000012